(57)【要約】【課題】      引戸の開動をより迅速に行え、更に引戸の閉動に大きな力を必要とせず静かに行えるとともに、外観上も優れ、開閉機構を小型化することが可能な引戸の開閉機構を提供することを課題とする。【解決手段】  シリンダ本体の収納空間には、閉鎖された他方端から長手方向に沿って突設し、この突設端部がシャフトの中空部に挿入され、該シャフトをスライド移動自在に支持する棒状の支持体と、シャフトの外周面に沿うように且つ長手方向に沿って設けられ、該シャフトをシリンダ本体に対して縮動方向に付勢力を付加するシャフト用圧縮バネとが備えられ、シャフトには、収納空間を前方領域と後方領域との間を仕切るとともに、該シャフトの伸動時に前方領域と後方領域との間を流体が流動する開放状態とし、当該シャフトの縮動時に前方領域と後方領域との間を流体が流動しない閉鎖状態とする調整弁が設けられていることを特徴とする。【選択図】    図４
2007040054.tif 000002
【特許請求の範囲】
【請求項１】
先端部に磁性体が設けられ、後端部から長手方向に沿って所定長さに亘って中空部が形成された丸棒状のシャフトと、
一方端が開放されるとともに他方端が閉鎖された前記シャフト収納用の収納空間を有し、前記シャフトを開放された一方端を通じて前記収納空間から所定のストローク長引き出し、及び前記収納空間へ引き込みによる伸縮動が自在なシリンダ本体とを備えたシリンダを用い、
当該シリンダを、前記シャフトの前記磁性体が、スライド移動する移動体が当接する当接面に設けられた磁着部材に磁着するように当該移動体に取り付け、
前記磁性体が前記磁着部材に磁着された前記シャフトが、移動体の開閉動に伴い、前記シリンダ本体に対して伸縮動するシリンダを用いた移動体の開閉機構であって、
前記シリンダ本体の前記収納空間には、
閉鎖された他方端から長手方向に沿って突設し、この突設端部が前記シャフトの中空部に挿入され、該シャフトをスライド移動自在に支持する棒状の支持体と、
前記シャフトの外周面に沿うように且つ長手方向に沿って設けられ、該シャフトを前記シリンダ本体に対して縮動方向に付勢力を付加するシャフト用圧縮バネとが備えられ、
前記シャフトには、前記収納空間を前方領域と後方領域との間を仕切るとともに、該シャフトの伸動時に前記前方領域と前記後方領域との間を流体が流動する開放状態とし、当該シャフトの縮動時に前記前方領域と前記後方領域との間を流体が流動しない閉鎖状態とする調整弁が設けられていることを特徴とするシリンダを用いた移動体の開閉機構。
【請求項２】
先端部に磁性体が設けられ、後端部から長手方向に沿って所定長さに亘って中空部が形成された丸棒状のシャフトと、
一方端が開放されるとともに他方端が閉鎖された前記シャフト収納用の収納空間を有し、前記シャフトを開放された一方端を通じて前記収納空間から所定のストローク長引き出し、及び前記収納空間へ引き込みによる伸縮動が自在なシリンダ本体とを備えたシリンダを用い、
当該シリンダを、前記シャフトの前記磁性体が、スライド移動する移動体に設けられた磁着部材に磁着するように当該移動体の枠部材に取り付け、
前記磁性体が前記磁着部材に磁着された前記シャフトが、前記移動体の開閉動に伴い、前記シリンダ本体に対して伸縮動するシリンダを用いた移動体の開閉機構であって、
前記シリンダ本体の前記収納空間には、
閉鎖された他方端から長手方向に沿って突設し、この突設端部が前記シャフトの中空部に挿入され、該シャフトをスライド移動自在に支持する棒状の支持体と、
前記シャフトの外周面に沿うように且つ長手方向に沿って設けられ、該シャフトを前記シリンダ本体に対して縮動方向に付勢力を付加するシャフト用圧縮バネとが備えられ、
前記シャフトには、前記収納空間を前方領域と後方領域との間を仕切るとともに、該シャフトの伸動時に前記前方領域と前記後方領域との間を流体が流動する開放状態とし、当該シャフトの縮動時に前記前方領域と前記後方領域との間を流体が流動しない閉鎖状態とする調整弁が設けられていることを特徴とするシリンダを用いた移動体の開閉機構。
【請求項３】
前記調整弁は、
前記シャフトの周面に設けられ、前記前方領域と前記後方領域との間で流体を流動させる流動口と、
前記シャフトの外周面に嵌挿され、該シャフトの縮動時に前記流動口を閉鎖し、当該シャフトの伸動時に前記流動口を開放するように、当該シャフトの長手方向に沿ってスライド移動するリング体とを備えたことを特徴とする請求項１又は請求項２に記載のシリンダを用いた移動体の開閉機構。
【請求項４】
前記支持体の突設端部には、互いに接近する方向に弾性変形が可能であり、弾性変形していないときに先端に向かって前記中空部に接する内壁面に接近するように長手方向に沿って緩やかな傾斜角度を有する外表面が形成された複数の延出部が設けられ、
当該中空部に接する内壁面には、前記複数の延出部の外表面に当接する当接部分と、当該当接部分に向かって前記シャフトの伸動方向に急な傾斜角度で傾斜する傾斜面とを有する突起部が形成され、
当該突起部は、
前記シャフトの伸動に伴って前記当接部分が前記複数の延出部の外表面に当接しつつ当該複数の延出部を互いに接近する方向に弾性変形させ、前記シャフトの伸動が最大ストローク長に達したときに、前記複数の延出部の弾性変形を開放して互いを離反させる一方、
前記傾斜面が前記離反した複数の延出部の先端に当接することにより、前記シャフトの縮動方向への付勢力に対して当該シャフトの縮動を停止させるとともに、前記シャフトの先端部が前記戸当たり面に衝突した際の衝撃力に対して前記シャフトの縮動を停止できない程度の抵抗力によって支持するように配設されていることを特徴とする請求項１〜請求項３のいずれかに記載のシリンダを用いた移動体の開閉機構。
【請求項５】
前記シャフトの前記中空部は、前記調整弁を介して前記収納空間と流体の流動が可能であり、
前記シャフトには、
前記中空部の奥側面と連通口を介して流体の流動が可能な所定の空間を備えた連通室が設けられ、
当該連通室には、
前記連通口との当接が可能に設けられ、該連通口を開放及び閉鎖自在に設けられた仕切り体と、
当該仕切り体を前記連通口に押し付ける方向に付勢力を付加する仕切り体用圧縮バネと、
当該仕切り体用圧縮バネの付勢力を調整する調整手段とを収納し、
前記シャフトには、前記調整手段が露出する調整用開口部が設けられていることを特徴とする請求項１〜請求項４のいずれかに記載のシリンダを用いた移動体の開閉機構。
【発明の詳細な説明】
【技術分野】
【０００１】
本発明は、建物内の部屋を区切る引戸や、押し入れや食器棚、タンスなどの収納庫の引戸など様々な引戸をはじめとする、スライド移動が可能な移動体を、シリンダを用いることにより開閉させる開閉機構に関し、特に、移動体の開動を迅速に且つ閉動を静かに行うことが可能な開閉機構に関する。
【背景技術】
【０００２】
従来、スライド移動することが可能な移動体としての引戸を閉める際には、急激に引戸が閉まってしまい、体などが挟まれたり、閉めたはずの引戸が跳ね返って開いてしまうほか、閉まる際に大きな音がして騒々しいなど、様々な不具合が生じやすくなる。このような不具合を解消するべく、引戸を緩やかな速度で閉めるためのブレーキ装置を取り付けることが考えられるが、このブレーキ装置は大型化したものが多く、引戸の設置場所によってはブレーキ装置を取り付けることが難しいこともある。また、引戸を閉鎖する際に、ブレーキ装置によって引戸の閉動が押さえられて、戸当たり面に密着しにくいため、別途ロック機構などを取り付ける必要もある。
【０００３】
これに対して、特許文献１では、戸当たり側端面に出没するシャフトを有するピストンを嵌装したシリンダを用い、戸当たり面、引戸の端面及びシャフトの先端部に磁力吸着部材を設け、シャフトの引き出し方向の動きを高速とし引き込み方向の動きを低速とする遅延弁をピストンに設け、引戸の閉鎖時にシャフトを引き込ませながら低速度で閉鎖して磁力により閉鎖状態を保持し、引戸開放時にシャフトは最大に突出するまで引き出されてから戸当たり面から離れる引戸の閉鎖装置が提案されている。この閉鎖装置によれば、引戸が閉まるときに、遅延弁を通過する流体の流量を減少させて緩やかに閉めることを可能とし、引戸を開けるときに、シャフトの先端が戸当たり面と磁力によって固定された状態で引き出され、遅延弁を通過する流体の流量を増加させて軽い力で開くことを可能とするとともに、磁力によって戸当たり面と引戸とを隙間無く密着させることが可能となっている。
【０００４】
【特許文献１】特開平９−２５６７２９
【発明の開示】
【発明が解決しようとする課題】
【０００５】
しかしながら、上記のような構造では、引戸が全閉位置の直前になって、戸当たり面と引戸の端面の各々に着設された磁力吸着部材が引き合うことにより、引戸が完全に閉鎖されるので、引戸の閉鎖直前まで人が自力で引戸を閉じる操作を行う必要があって不便である。しかも、引戸が閉まるときには上述したようにシリンダ内における遅延弁を通過する流体の流量を少なくしているので、引戸を閉めるために非常に大きな力を必要とするため非常に不便である。また、仮に、引戸を閉めるための別の原動力を上記構造に設けたとすると、この閉鎖装置は非常に大型化することになり、外観上も好ましくない。さらに、この構造では最終的に戸当たり面と引戸の端面の各々に着設された磁力吸着部材が磁着されて引戸が閉められているため、引戸を開ける際にはこの磁力吸着部材の磁着力に反する大きな力が必要となるため非常に不便である。
【０００６】
本発明は、引戸などのスライド移動することが可能な移動体の開動をシリンダを用いて迅速に行え、更に移動体の閉動に大きな力を必要とせず静かに行えるとともに、外観上も優れ、開閉機構を小型化することが可能なシリンダを用いた移動体の開閉機構を提供することを課題とする。
【課題を解決するための手段】
【０００７】
本発明は、上記課題を解決するべく、次のような具体的な手段を用いる。
【０００８】
すなわち、本発明では、先端部に磁性体が設けられ、後端部から長手方向に沿って所定長さに亘って中空部が形成された丸棒状のシャフトと、一方端が開放されるとともに他方端が閉鎖された前記シャフト収納用の収納空間を有し、前記シャフトを開放された一方端を通じて前記収納空間から所定のストローク長引き出し、及び前記収納空間へ引き込みによる伸縮動が自在なシリンダ本体とを備えたシリンダを用い、当該シリンダを、前記シャフトの前記磁性体が、スライド移動する移動体が当接する当接面に設けられた磁着部材に磁着するように当該移動体に取り付け、前記磁性体が前記磁着部材に磁着された前記シャフトが、移動体の開閉動に伴い、前記シリンダ本体に対して伸縮動するシリンダを用いた移動体の開閉機構であって、前記シリンダ本体の前記収納空間には、閉鎖された他方端から長手方向に沿って突設し、この突設端部が前記シャフトの中空部に挿入され、該シャフトをスライド移動自在に支持する棒状の支持体と、前記シャフトの外周面に沿うように且つ長手方向に沿って設けられ、該シャフトを前記シリンダ本体に対して縮動方向に付勢力を付加するシャフト用圧縮バネとが備えられ、前記シャフトには、前記収納空間を前方領域と後方領域との間を仕切るとともに、該シャフトの伸動時に前記前方領域と前記後方領域との間を流体が流動する開放状態とし、当該シャフトの縮動時に前記前方領域と前記後方領域との間を流体が流動しない閉鎖状態とする調整弁が設けられていることを特徴とする。
【０００９】
また、先端部に磁性体が設けられ、後端部から長手方向に沿って所定長さに亘って中空部が形成された丸棒状のシャフトと、一方端が開放されるとともに他方端が閉鎖された前記シャフト収納用の収納空間を有し、前記シャフトを開放された一方端を通じて前記収納空間から所定のストローク長引き出し、及び前記収納空間へ引き込みによる伸縮動が自在なシリンダ本体とを備えたシリンダを用い、当該シリンダを、前記シャフトの前記磁性体が、スライド移動する移動体に設けられた磁着部材に磁着するように当該移動体の枠部材に取り付け、前記磁性体が前記磁着部材に磁着された前記シャフトが、前記移動体の開閉動に伴い、前記シリンダ本体に対して伸縮動するシリンダを用いた移動体の開閉機構であって、前記シリンダ本体の前記収納空間には、閉鎖された他方端から長手方向に沿って突設し、この突設端部が前記シャフトの中空部に挿入され、該シャフトをスライド移動自在に支持する棒状の支持体と、前記シャフトの外周面に沿うように且つ長手方向に沿って設けられ、該シャフトを前記シリンダ本体に対して縮動方向に付勢力を付加するシャフト用圧縮バネとが備えられ、前記シャフトには、前記収納空間を前方領域と後方領域との間を仕切るとともに、該シャフトの伸動時に前記前方領域と前記後方領域との間を流体が流動する開放状態とし、当該シャフトの縮動時に前記前方領域と前記後方領域との間を流体が流動しない閉鎖状態とする調整弁が設けられていることを特徴とする。
【００１０】
これらの発明によれば、スライド移動する移動体が開動されるときに、移動体の当接面の磁着部材にシャフトの磁性体が磁着された状態で移動体が開動され（磁着部材が移動体に設けられている場合には、移動体の枠部材に取り付けられたシリンダ本体から伸動したシャフトの磁性体が、移動体に設けられた磁着部材に磁着された状態で移動体が開動され）、シャフトはシリンダ本体に対して伸動するため、シリンダ本体の収納空間において、調整弁によって前方領域と後方領域との間を流体が流動する開放状態となって、圧縮バネを圧縮するのみに要する比較的軽い力でシャフトを伸動させることが可能となり、これに伴い移動体の開動を迅速に行うことが可能となる。しかも、移動体は当接面に対して磁力などで密着されていないため、余分に大きな力を付加しないで移動体を開動させることが可能である。
【００１１】
また、移動体が閉動されるときに、所定のストローク長まで伸動したシャフトの先端部、すなわち磁性体が当接面の磁着部材に当接して磁着された状態で移動体が閉動され、シャフトはシリンダ本体に対して縮動するため、シリンダ本体の収納空間において、調整弁によって前方領域と後方領域との間を流体が流動しない閉鎖状態となって、急激な速度での移動体の閉動を阻止し、圧縮バネの付勢力によってシャフトをシリンダ本体に対して縮動させる。従って、移動体の閉動時には、調整弁による急激な速度での閉動の阻止と、圧縮バネによるシャフトの縮動とによって緩やかで静かな移動体の閉動を達成することが可能となる。しかも、圧縮バネによるシャフトの自動的な縮動が行われるまで、調整弁による急激な速度での閉動の阻止の作用が行われないので、移動体の閉動に余分に大きな力を使う必要も無い。
【００１２】
さらに、シリンダ本体に、調整弁や圧縮バネなどを収納しているので、非常にコンパクトで小型化されており、様々な形状の移動体に適用しやすく、また、外観上にも優れている。
【００１３】
また、本発明では、前記調整弁は、前記シャフトの周面に設けられ、前記前方領域と前記後方領域との間で流体を流動させる流動口と、前記シャフトの外周面に嵌挿され、該シャフトの縮動時に前記流動口を開放し、当該シャフトの伸動時に前記流動口を閉鎖するように、当該シャフトの長手方向に沿ってスライド移動するリング体とを備えたことを特徴とする。
【００１４】
この発明によれば、シャフトの長手方向に沿ってスライド移動するリング体を用いることにより、シャフトの動きに応じたスライド移動を円滑に行わせ、収納空間の前方領域と後方領域との間における流体の流動の開放及び閉鎖に関する調整弁としての働きを良好なものとし、シャフトの伸縮動に伴う移動体の開閉動をスムーズにし得る。また、リング体を用いることで、シャフトとの摩擦を低減させ、シャフト自体の伸縮動を円滑に行わせ、これに伴い引戸の開閉動をスムーズにし得る。
【００１５】
リング体として丸リングを用いると、収納空間におけるスライド移動の際の抵抗が小さくなり、より円滑なスライド移動が行えるので、移動体の開閉動はより滑らかになる。
【００１６】
加えて、本発明では、前記支持体の突設端部は、互いに接近する方向に弾性変形が可能な複数の延出部が長手方向に沿って並設されており、前記シャフトの前記中空部に接する内壁面には、前記複数の延出部の外表面に当接する突起部が形成され、当該突起部は、前記シャフトの伸動に伴って前記複数の延出部を互いに接近する方向に弾性変形させ、前記シャフトの伸動が最大ストローク長に達したときに、前記複数の延出部の弾性変形を開放して互いを離反させるとともに、前記シャフトの縮動方向への付勢力に対して前記離反した複数の延出部の先端を支持するように配設されていることを特徴とする。
【００１７】
より具体的には、前記支持体の突設端部には、互いに接近する方向に弾性変形が可能であり、弾性変形していないときに先端に向かって前記中空部に接する内壁面に接近するように長手方向に沿って緩やかな傾斜角度を有する外表面が形成された複数の延出部が設けられ、当該中空部に接する内壁面には、前記複数の延出部の外表面に当接する当接部分と、当該当接部分に向かって前記シャフトの伸動方向に急な傾斜角度で傾斜する傾斜面２６ａとを有する突起部が形成され、当該突起部は、前記シャフトの伸動に伴って前記当接部分が前記複数の延出部の外表面に当接しつつ当該複数の延出部を互いに接近する方向に弾性変形させ、前記シャフトの伸動が最大ストローク長に達したときに、前記複数の延出部の弾性変形を開放して互いを離反させる一方、前記傾斜面が前記離反した複数の延出部の先端に当接することにより、前記シャフトの縮動方向への付勢力に対して当該シャフトの縮動を停止させるとともに、前記シャフトの先端部が前記戸当たり面に衝突した際の衝撃力に対して前記シャフトの縮動を停止できない程度の抵抗力によって支持するように配設されていることを特徴とする。
【００１８】
この発明によれば、シャフトの中空部に接する内壁面に形成された突起部の当接部分が複数の延出部の外表面に当接し、シャフトの伸動に伴い複数の延出部が接近する方向に弾性変形する。すなわち、複数の延出部の外表面が、弾性変形していないときに先端に向かって中空部に接する内壁面に接近するように長手方向に沿って緩やかな傾斜角度を有するため、複数の延出部がシャフトの伸動に伴って徐々に接近する方向に弾性変形する。このように、突起部に当接する複数の延出部の外表面は長手方向に沿って緩やかな傾斜角度を有するので、上記突起部による複数の延出部の弾性変形は少なくて済むため、シャフトを伸動させる際の抵抗力が非常に小さく、シャフトの伸動に伴う移動体の開動が軽くなって迅速に行える。
【００１９】
また、シャフトの伸動が最大ストローク長に達したときに、突起部は複数の延出部の弾性変形を開放して互いを離反させるとともに、シャフトの縮動方向への付勢力に対して離反した複数の延出部の先端を支持する。すなわち、突起部における当接部分に向かってシャフトの伸動方向に急な傾斜角度で傾斜する傾斜面が、離反した複数の延出部の先端に当接することにより、シャフトの縮動方向への付勢力に対して当該シャフトの縮動を停止させるように支持する。これにより、シャフトは、最大ストローク長まで伸動すると、その状態を保持されることになり、移動体が開動して先端部の磁性体が戸当たり面の磁着部材の磁着から開放されたときに、シャフトが伸動したままの状態となる。また、突起部における傾斜面は、シャフトの先端部が戸当たり面に衝突した際の衝撃力に対してシャフトの縮動を停止できない程度の抵抗力によって複数の延出部の先端を支持するので、移動体の閉動によって上述した伸動したままの状態のシャフトの先端が、当接面に衝突した際に、突起部の傾斜面による支持が解除される。そして、当該支持が解除されると、シャフト用圧縮バネの付勢力によってシャフトは縮動をし始める。このように、移動体の急激な閉動が行われたときに、突起部の傾斜面の支持によって伸動したままの状態のシャフトの先端が当接面に衝突することで、大きな抵抗を持たせてブレーキをかけることが可能となる。
【００２０】
また、本発明では、前記シャフトの前記中空部は、前記調整弁を介して前記収納空間と流体の流動が可能であり、前記シャフトには、前記中空部の奥側面と連通口を介して流体の流動が可能な所定の空間を備えた連通室が設けられ、当該連通室には、前記連通口との当接が可能に設けられ、該連通口を開放及び閉鎖自在に設けられた仕切り体と、当該仕切り体を前記連通口に押し付ける方向に付勢力を付加する仕切り体用圧縮バネと、当該仕切り体用圧縮バネの付勢力を調整する調整手段とを収納し、前記シャフトには、前記調整手段が露出する調整用開口部が設けられていることを特徴とする。
【００２１】
この発明によれば、開口部に露出された調整手段を手動などによって調整することが可能であり、調整手段によって仕切り体の連通口への付勢力が大きくなるように調整した場合、中空部の内部の流体が連通室へ流動しにくくなるため、シャフトをシリンダ本体に引き込みにくく、移動体を大きな力で閉動しても急激に閉動することない。一方、調整手段によって仕切り体の連通口への付勢力が小さくなるように調整すると、中空部の内部の流体が連通室へ流動しやすくなるため、シャフトをシリンダ本体に引き込みやすく、移動体を小さな力でも閉動することが可能となる。このような調整を行うことにより、移動体の重量や用途に応じて、移動体の円滑な閉動を実現し得る。また、上記開口部を、連通室を介して中空部の内部の流体を外部へ排出する排出部として機能するようにすれば、中空部の内部の流体を連通室へ流動させやすく、移動体の閉動をよりスムーズにすることが可能となる。
【発明の効果】
【００２２】
シリンダ本体の収納空間において、調整弁によって前方領域と後方領域との間を流体が流動する開放状態となって、非常に軽い力でシャフトを伸動させることが可能となり、これに伴い移動体の開動を迅速に行うことが可能となる。しかも、移動体は当該移動体の当接面に対して磁力などで密着されていないため、余分に大きな力を付加しないで移動体を開動させることが可能である。また、シリンダ本体の収納空間において、調整弁によって前方領域と後方領域との間を流体が流動しない閉鎖状態となって、急激な速度での移動体の閉動を阻止し、圧縮バネの付勢力によってシャフトをシリンダ本体に対して縮動させる。
【００２３】
従って、移動体の閉動時には、調整弁による急激な速度での閉動の阻止と、圧縮バネによるシャフトの縮動とによって緩やかで静かな移動体の閉動を達成することが可能となる。しかも、圧縮バネによるシャフトの自動的な縮動が行われるまで、調整弁による急激な速度での閉動の阻止の作用が行われないので、移動体の閉動に余分に大きな力を使う必要も無い。
【発明を実施するための最良の形態】
【００２４】
次に、本発明におけるシリンダを用いた移動体の開閉機構の一実施形態を、移動体として引戸を用いて説明するが、本発明はこれに限定されるものでない。
【００２５】
図１は、本実施形態に用いられるシリンダを示す概略斜視図であり、シャフトをシリンダ本体から引き出して伸動させた状態を示す図である。また、図２は本実施形態に用いられるシリンダを示す概略斜視図であり、シャフトをシリンダ本体へ引き込んで縮動させた状態を示す図である。このシリンダ１は、丸棒状のシャフト２と、シャフト２を所定のストローク長引き出し、及び引き込みによる伸縮動が自在なシリンダ本体３とを備えている。シャフト２が縮動されたときには、シャフト２の先端面がシリンダ本体３の端面とほぼ同一面上になる。また、図２に示すように、シャフト２には、後述するシャフト２の伸縮動を調整する調整手段が露出する調整用開口部４が設けられている。
【００２６】
次に、図３に示すように、シリンダ１を下荷重式の引戸５の上端面（外表面）に取り付けた開閉機構についての実施形態について説明する。この場合、引戸５の上端面には長手方向に沿って所定の幅寸法を有する突状部６が形成され、引戸５を囲うように設けられた枠体７のうち、引戸５の上方に位置する面には、引戸５の突状部６の上面、左右側面を所定のクリアランスを保ちつつ囲うようにレール８が形成されている。
【００２７】
図４は本実施形態の引戸の開閉機構を説明するための図であり、枠体７の戸当たり面（引戸の当接面）９に引戸５が当接して閉じられている状態を示す図である。引戸５の突状部６は、戸当たり面９との対向面側から所定の長さに亘って形成されておらず、この突状部６が形成されていない引戸５の上端面にシリンダ本体３が図示しないネジのネジ止めにより取り付けられている。尚、本実施形態ではシリンダ本体３を引戸５の上端面にネジ止めにより取り付けられているが、これに限定されず、例えば、シリンダ本体３を引戸５のいずれかの外表面に接着剤や両面テープといった接着部材によって固着させたり、あるいは引戸５のいずれかの外表面に設けられた凹部や有底状の窪み部、貫通穴などに、シリンダ本体３を嵌合、嵌挿させて取り付けるなど、様々な方法により取り付けることが可能である。また、シリンダ本体３を引戸５に取り付ける位置については、引戸５を囲む枠体７の上枠に隠れるように引戸５の上端に埋め込むなど、外部からシリンダ本体３が見えない、もしくは見えにくい箇所に取り付けることが美観上好ましい。
【００２８】
また、シャフト２は、後端部から長手方向に沿って所定長さに亘って円柱状の中空部１０が形成されている。シリンダ本体３は、一方端が開放されるとともに他方端が閉鎖されたシャフト収納用の収納空間１１を有しており、シャフト２を開放された一方端を通じて収納空間１１から所定のストローク長引き出し、及び収納空間１１へ引き込みによる伸縮動が自在となっている。収納空間１１には、閉鎖された他方端から長手方向に沿って突設し、この突設端部がシャフト２の中空部１０に挿入され、シャフト２をスライド移動自在に支持する棒状の支持体１２が形成されている。支持体１２の突設端部は、互いに接近する方向に弾性変形が可能な２つ（複数）の延出部１３が長手方向に沿って並設されている。本実施形態では、２つの延出部を設けているが、これに限定されず、２つ以上の延出部を設けることも可能である。尚、シャフト２がシリンダ本体３に縮動されているときに、２つの延出部１３の先端部における外側表面がシャフト２の中空部１０の内壁面に当接することにより、シャフト２を支持している。また、シャフト２は、先端部に磁性体１４が埋め込まれており、枠体７の角部における戸当たり面９には、この磁性体１４に対向するようにL字状の磁着部材１５が設けられている。この磁性体１４と磁着部材１５との磁着により引戸５を戸当たり面９に密着させてより確実に閉じている。
【００２９】
また、シャフト２をシリンダ本体３に対して縮動方向に付勢力を付加するシャフト用圧縮バネ１６が、シャフト２の外周面に沿うように且つ長手方向に沿って設けられている。シャフト用圧縮バネ１６は、一方端がシリンダ本体３の開放端における内壁面１７に当接し、他方端がシャフト２の後端部における直径寸法が他の部分よりも大きな突設部１８に当接している。これにより、シャフト用圧縮バネ１６の弾性力によってシャフト２を収納空間１１に引き込み縮動させている。
【００３０】
さらに、シャフト２の後端部には、収納空間１１を前方領域１９と後方領域２０との間を仕切る調整弁２１が設けられている。調整弁２１は、突設部１８とほぼ同じ直径寸法を有する突設部２２を外周面に形成し、支持体１２が挿入する挿入穴２３を設けるとともに、シャフト２の後端から中空部１０に嵌合させることにより、シャフト２と一体的に形成されている。また、調整弁２１における突設部２２と、シャフト２の突設部１８との間における外周面には対向する２箇所に貫通穴が形成されており、この貫通穴は収納空間１１の流体を流動させる流動口２４として用いられる。さらに、調整弁２１は、シャフト２の長手方向に沿って突設部１８及び突設部２２の間をスライド移動するリング体としての丸リング２５を備えている。この丸リング２５が流動口２４の右側に位置する場合に、前方領域１９と後方領域２０との間を流体が流動する開放状態とし、丸リング２５が流動口２４の左側に位置する場合に、前方領域１９と後方領域２０との間を流体が流動しない閉鎖状態とする。
【００３１】
次に、引戸５の開動について説明する。引戸５を戸当たり面９から離したときに、シャフト２の磁性体１４が磁着部材１５に磁着した状態が維持されるため、シャフト２は引戸５の開動に伴って引き出されて伸動する。そして、シャフト２が最大ストローク長に伸動するまで、磁性体１４が磁着部材１５に磁着した状態が維持された後に、シャフト２が最大ストローク長に伸動した状態のまま引戸５が開動する。
【００３２】
ここで、シャフト２が最大ストローク長に伸動する際のシャフト２と支持体１２との状態について説明する。図５は本実施形態において、シャフト２が伸動する途中のシャフト２と支持体１２との関係を説明するための説明図であって、図５（ａ）はシャフト２が伸動する途中のシャフト２と支持体１２との関係を示す正面側から見た概略断面図であり、図５（ｂ）はシャフト２が伸動する途中のシャフト２と支持体１２との関係を示す上面側から見た概略断面図である。また、図６は本実施形態において、シャフト２が最大ストローク長まで伸動したシャフト２と支持体１２との関係を説明するための説明図であって、図６（ａ）はシャフト２が最大ストローク長まで伸動したシャフト２と支持体１２との関係を示す正面側から見た概略断面図であり、図６（ｂ）はシャフト２が伸動する途中のシャフト２と支持体１２との関係を示す上面側から見た概略断面図である。
【００３３】
シャフト２は、引戸５の開動に伴い伸動する。シャフト２の中空部１０に接する内壁面には、２つの延出部１３の外表面に当接する突起部２６が形成されている。この突起部２６は、シャフト２の伸動に伴って２つの延出部１３を互いに接近する方向に弾性変形させる。２つの延出部１３は、弾性変形していないときに先端に向かって中空部１０に接する内壁面に接近するように長手方向に沿って緩やかな傾斜角度を有する外表面が形成されている。一方、突起部２６は、２つの延出部１３の外表面に当接する当接部分を有する。このため、突起部２６による２つの延出部１３の弾性変形は少なくて済むため、シャフト２を伸動させる際の抵抗力が非常に小さく、シャフト２の伸動に伴う引戸５の開動が軽くなって迅速に行える。
【００３４】
複数の延出部の外表面における上記緩やかな傾斜角度は、１度〜１０度程度が好ましく、上記傾斜角度が１度以下であると、突起部に対する複数の延出部の弾性変形が小さく、シャフトの縮動に対する抵抗力が弱くて、シャフトの縮動に伴う引戸の閉動の勢いが良過ぎて、静かな閉動を行うことが難しい。また、上記傾斜角度が１０度以上であると、突起部に対する複数の延出部の弾性変形が大きく、シャフトの伸動に対する抵抗力が強くて、シャフトが最大ストローク長まで伸動する前に、シャフトの磁性体が戸当たり面の磁着部材の磁着から外れてしまい、シャフトが縮動してしまい、次に引戸を閉動するときには、シャフトによる上記作用を奏することができないといった問題が生じやすい。
【００３５】
尚、このとき、丸リング２５は流動口２４の右側に位置し、前方領域１９と後方領域２０との間を流体が流動する開放状態となっている。このため、非常に軽い力でシャフト２を伸動させることが可能となり、これに伴い引戸５の開動を迅速に行うことが可能となっている。
【００３６】
そして、シャフト２の伸動が最大ストローク長に達したときに、２つの延出部１３の弾性変形を開放して互いを離反させる。このとき、シャフト２は、シャフト用圧縮バネ１６によって収納空間１１に引き込み縮動させる方向に弾性力が付加されている。一方、突起部２６は、シャフト２の縮動方向への付勢力に対して離反した２つの延出部１３の先端を支持する。突起部２６は、図７に示すように、当該当接部分に向かってシャフト２の伸動方向に急な傾斜角度で傾斜する傾斜面２６ａを有する。一方、２つの延出部１３の先端１３ａは、突起部２６の傾斜面２６ａに倣うように傾斜した先端面が形成されている。このため、この傾斜面２６ａが離反した２つの延出部１３の先端１３ａに当接することにより、シャフト２の縮動方向への付勢力に対して当該シャフト２の縮動を停止させるように支持する。これにより、シャフト２は、最大ストローク長まで伸動すると、その状態を保持されることになり、引戸５が開動して先端部の磁性体１４が戸当たり面９の磁着部材１５の磁着から開放されたときに、シャフト２が伸動したままの状態となる。
【００３７】
上記支持体１２の突設端部における延出部１３は、複数設けられておればよく、対向するように２つ設けられる以外に、上列及び下列の各々に複数設けることも可能であり、また、上列もしくは下列のみ複数設けることも可能である。また、延出部１３の先端１３ａは、突起部２６の傾斜面２６ａに支持されるように接触する形状であれば、この形状は限定されるものでないが、突起部２６の傾斜面２６ａと同程度の傾斜角度を有する先端面が形成されていることが好ましく、これにより、突起部２６の傾斜面２６ａと延出部１３の先端１３ａにおける先端面とが面接触するので、突起部２６の傾斜面２６ａによる延出部１３の先端１３ａの支持が安定化する。
【００３８】
このように、シャフト２が最大ストローク長まで伸動した後に更に引戸５が開動されるが、このときシャフト２は図８に示すように伸動した状態のままである。
【００３９】
次に、引戸５を閉動する際について説明する。シャフト２は、引戸５の閉動によって、その先端部が戸当たり面９に当接する。このとき、シャフト２の磁性体１４が磁着部材１５に磁着した状態が維持される。これとともに、シャフト２の先端部が戸当たり面９に当接したときの衝撃により、突起部２６による、シャフト２の縮動方向への付勢力に対する２つの延出部１３の支持が解除され、この２つの延出部１３の先端１３ａは突起部２６の間に入り込んでしまい、シャフト用圧縮バネ１６によるシャフト２の縮動方向への付勢力によってシャフト２が縮動する。図９に示すように突起部２６における傾斜面２６ａは、シャフト２の先端部が戸当たり面９に衝突した際の衝撃力に対してシャフト２の縮動を停止できない程度の抵抗力によって２つの延出部１３の先端１３ａを支持するので、引戸５の閉動によって上述した伸動したままの状態のシャフト２の先端が、戸当たり面９に衝突した際に、突起部２６の傾斜面２６ａによる２つの延出部１３の先端１３ａの支持が解除される。上述したように、２つの延出部１３の先端１３ａは、突起部２６の傾斜面２６ａに倣うように傾斜した先端面が形成されているので、戸当たり面９に衝突した際の衝撃によって、突起部２６の傾斜面２６ａに倣うようにして互いに接近する方向に弾性変形し、対向する突起部２６の間に２つの延出部１３の先端１３ａが入り込んでしまい、突起部２６の傾斜面２６ａの支持が解除される。そして、当該支持が解除されると、シャフト用圧縮バネ１６の付勢力によってシャフト２は縮動をし始める。このように、引戸５の急激な閉動が行われたときに、突起部２６の傾斜面２６ａの支持によって伸動したままの状態のシャフト２の先端が戸当たり面に衝突することで、大きな抵抗を持たせてブレーキをかけることが可能となる。
【００４０】
尚、上記突起部の傾斜面２６ａにおける急な傾斜角度は、中空部に接する水平な内壁面に対して６５度〜８５度程度が好ましく、７０度〜８０度が上述した作用を奏するのにより好ましい。上記傾斜角度が８５度以上になると、突起部の傾斜面２６ａの延出部の先端に対する支持力が強固となり、シャフトの先端が、戸当たり面に衝突した際に、突起部の傾斜面２６ａによる支持が解除されにくくなる。また、上記急な傾斜角度が６５度以下になると、突起部の傾斜面２６ａがシャフトの縮動方向への付勢力に対して当該シャフトの縮動を停止させるように延出部の先端を支持することが難しくなる。
【００４１】
さらに、シャフト２が縮動するとき、丸リング２５が流動口２４の左側に位置することになり、前方領域１９と後方領域２０との間を流体が流動しない閉鎖状態とする。このため、急激な速度での引戸の閉動を阻止しつつ、シャフト用圧縮バネ１６の付勢力によってシャフト２を縮動させる。このように、磁性体１４が磁着部材１５に磁着した状態でシャフト２が縮動することに伴い、引戸５は戸当たり面９に徐々に近付いて最終的に閉じられる。
【００４２】
このように、本実施形態における引戸５の開閉機構においては、引戸５の閉動時には、調整弁２１による急激な速度での閉動の阻止と、シャフト用圧縮バネに１６よるシャフト２の縮動とによって緩やかで静かな引戸の閉動を達成することが可能となり、しかも、シャフト用圧縮バネ１６によるシャフト２の自動的な縮動が行われるまで、調整弁２１による急激な速度での閉動の阻止の作用が行われないので、引戸５の閉動に余分に大きな力を使う必要も無い。
【００４３】
また、本実施形態においては、シリンダ１における流体の流動量を調整することが可能となっている。図１０は、本実施形態における収納空間１１と繋がる中空部１０の流体の流動量を調整する調整手段を示す概略断面図である。シャフト２の中空部１０は、上述したように、調整弁２１を介して収納空間１１と流体の流動が可能となっている（図４参照）。また、シャフト２には、中空部１０の奥側面と連通口２７を介して流体の流動が可能な所定の空間を備えた連通室２８が設けられている。連通室２８には、連通口２７との当接が可能に設けられ、連通口２７を開放及び閉鎖自在に設けられた仕切り体２９が収納されている。仕切り体２９には、連通口２７と当接しない逆側の面に凹形状部３０が形成されている。また、連通室２８には、仕切り体２９を連通口２７に押し付ける方向に付勢力を付加する仕切り体用圧縮バネ３１が収納されている。さらに、連通室２８には、仕切り体用圧縮バネ３１の付勢力を調整する調整手段３２を収納している。調整手段３２は、仕切り体用圧縮バネ３１に対向する面に凹形状部３３が形成されており、仕切り体用圧縮バネ３１を嵌挿させている。従って、仕切り体用圧縮バネ３１は仕切り体２９の凹形状部３０及び調整手段３２の凹形状部３３に挟まれた状態となっている。そして、調整手段３２は、仕切り体用圧縮バネ３１と対向しない逆側の面にネジ部３４が一体的に形成されており、連通室２８における連通口２７が形成された端面と対向する端面に設けられたネジ穴３５にネジ部３４を螺着させている。このような構成を有する調整手段３２は、シャフト２に形成された連通室２８と繋がる調整用開口部４（図１参照）によって露出されている。これにより、調整用開口部４に露出された調整手段３２を手動などによって回転させることで調整することが可能となる。図１０（ａ）に示すように、調整手段３２によって仕切り体２９の連通口２７への付勢力が大きくなるように調整した場合、図１０（ｂ）に示すように、仕切り体２９の連通口２７への大きな付勢力によって、中空部１０の内部の流体が連通室２８へ流れようと圧力をかけたときに、仕切り体２９は僅かに図中の左側に押しやられて連通口２７との間に隙間が生じる程度であり、中空部１０の内部の流体が連通室２８へ流動しにくくなるため、シャフト２をシリンダ本体３に引き込んで縮動しにくくなり、引戸５を大きな力で閉動しても急激に閉動することない。一方、図１０（ｃ）に示すように、調整手段３２によって仕切り体２９の連通口２７への付勢力が小さくなるように調整すると、図１０（ｄ）に示すように、仕切り体２９の連通口２７への付勢力が小さくなり、中空部１０の内部の流体が連通室２８へ流れようと圧力をかけたときに、仕切り体２９は図中の左側に押しやられる量が増えて連通口２７との間に比較的大きな隙間が生じ、中空部１０の内部の流体が連通室２８へ流動しやすくなるため、シャフト２をシリンダ本体３に引き込んで縮動しやすく、引戸５を小さな力でも閉動することが可能となる。このような調整を行うことにより、引戸５の重量や用途に応じて、引戸５の円滑な閉動を実現し得る。また、上記調整用開口部４を、連通室２８を介して中空部１０の内部の流体を外部へ排出する排出部として機能するようにすれば、中空部１０の内部の流体を連通室２８へ流動させやすく、引戸５の閉動をよりスムーズにすることが可能となる。尚、シャフト２の先端部には磁性体１４が埋め込まれている。
【００４４】
本実施形態においては、下荷重式引戸にシリンダを取り付けた場合について説明したが、例えば、図１１に示すように、上吊式引戸にシリンダを取り付けることも可能である。この場合、シリンダ４０を吊りレール４１の一側面に取り付ける一方、引戸４２にシリンダ４０のシャフト４３と対向する部分にＬ字状の磁着部材４４を設ける。シリンダ４０は、上述した本実施形態に用いられるシリンダ１と同じ構成とする。磁着部材４４は、シャフト４３がシリンダ本体４５に引き込まれ最も縮動されたときに引戸４２が閉められる位置に取り付けられる。これにより、上記本実施形態と同様の作用効果を奏することが可能となる。
【００４５】
本実施形態では、移動体として部屋などに用いられる引戸を用いたが、これに限定されるものでなく、スライド移動が可能であり、開閉動作を行う各種移動体に適用可能であり、例えば、机の引き出しや、押し入れや食器棚、タンスなどの収納庫の引戸などを移動体として適用可能である。
【産業上の利用可能性】
【００４６】
本発明は、建物内の部屋を区切る引戸や、机の引き出しなど、スライド移動が可能であり、開閉機構を有する様々な移動体の開閉機構に有用である。
【図面の簡単な説明】
【００４７】
【図１】本実施形態に用いられるシリンダ１を示す概略斜視図である。
【図２】本実施形態に用いられるシリンダ１を示す概略斜視図であり、シャフト１をシリンダ本体３へ引き込んで縮動させた状態を示す図である。
【図３】本実施形態において、シリンダ１を下荷重式の引戸５の上端面（外表面）に取り付けた開閉機構について説明するための説明図である。
【図４】本実施形態の引戸の開閉機構を説明するための図であり、枠体７の戸当たり面９に引戸５が当接して閉じられている状態を示す図である。
【図５】本実施形態において、シャフト２が伸動する途中のシャフト２と支持体１２との関係を説明するための説明図である。
【図６】本実施形態において、シャフト２が最大ストローク長まで伸動したシャフト２と支持体１２との関係を説明するための説明図である。
【図７】本実施形態において、突起部２６の傾斜面２６ａが離反した２つの延出部１３の先端に当接して支持する状態を説明する説明図である。
【図８】本実施形態において、シャフト２が最大ストローク長まで伸動した後に更に引戸が開動される状態を説明する説明図である。
【図９】本実施形態において、シャフト２の先端が、戸当たり面９に衝突した際に、突起部２６の傾斜面２６ａによる２つの延出部１３の先端の支持が解除される状態を説明する説明図である。
【図１０】本実施形態における収納空間１１と繋がる中空部１０の流体の流動量を調整する調整手段を示す概略断面図である。
【図１１】本実施形態において、シリンダを上吊式引戸に取り付けた開閉機構について説明するための説明図である。
【符号の説明】
【００４８】
１，４０  シリンダ        ２，４３  シャフト      ３，４５  シリンダ本体
４  調整用開口部        ５，４２  引戸          ９  戸当たり面      
１０  中空部        １１  収納空間      １２  支持体      １３  延出部
１４  磁性体        １５，４４  磁着部材        １６  シャフト用圧縮バネ
１８  突設部        １９  前方領域      ２０  後方領域        ２１  調整弁  
２２  突設部        ２４  流動口        ２５  丸リング        ２６  突起部    
２６ａ  傾斜面      ２７  連通口        ２８  連通室          ２９  仕切り体    
３１  仕切り体用圧縮バネ        ３２  調整手段
【図１】
2007040054.tif 000003
【図２】
2007040054.tif 000004
【図３】
2007040054.tif 000005
【図４】
2007040054.tif 000006
【図５】
2007040054.tif 000007
【図６】
2007040054.tif 000008
【図７】
2007040054.tif 000009
【図８】
2007040054.tif 000010
【図９】
2007040054.tif 000011
【図１０】
2007040054.tif 000012
【図１１】
2007040054.tif 000013